【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
複数のシステム構成装置により構成される音声信号処理システムであって、
少なくとも１つの前記システム構成装置が、
前記音声信号処理システム上に記録された、システム構成装置の種類に応じた複数種類の装置別アプリケーションプログラムを含む、インストール対象のアプリケーションプログラムを読み出す読み出し手段と、
前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定する特定手段と、
前記特定した各システム構成装置に、前記読み出したアプリケーションプログラムのうちの、そのシステム構成装置の種類に対応する装置別アプリケーションプログラムを送信し、該送信した装置別アプリケーションプログラムのインストールを指示するインストール指示手段
を備えることを特徴とする音声信号処理システム。
【請求項２】
少なくとも１つの前記システム構成装置は、
前記音声信号処理システム上に配置された複数の記憶手段のうちから記憶手段を特定する記憶先特定手段と、
前記アプリケーションプログラムと該アプリケーションプログラムの起動を許可するためのアクセスキー情報とを対応付けて、前記特定された記憶手段に記録する記録制御手段
を備えることを特徴とする請求項１に記載の音声信号処理システム。
【請求項３】
複数のシステム構成装置により構成される音声信号処理システムにおける前記システム構成装置であって、
前記音声信号処理システム上に記憶された、システム構成装置の種類に応じた複数種類の装置別アプリケーションプログラムを含む、インストール対象のアプリケーションプログラムを読み出す読み出し手段と、
前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定する特定手段と、
前記特定したシステム構成装置に、前記読み出したアプリケーションプログラムのうちの、そのシステム構成装置の種類に対応する装置別アプリケーションプログラムを送信し、該送信した装置別アプリケーションプログラムのインストールを指示するインストール指示手段
を備えることを特徴とする音声信号処理システムのシステム構成装置。
【請求項４】
複数のシステム構成装置により構成される音声信号処理システムにおいて、コンピュータを前記システム構成装置として機能させるプログラムであって、前記コンピュータに、
前記音声信号処理システム上に記憶された、システム構成装置の種類に応じた複数種類の装置別アプリケーションプログラムを含む、インストール対象のアプリケーションプログラムを読み出すステップと、
前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定するステップと、
前記特定したシステム構成装置に、前記読み出したアプリケーションプログラムのうちの、そのシステム構成装置の種類に対応する装置別アプリケーションプログラムを送信し、該送信した装置別アプリケーションプログラムのインストールを指示するステップ
を実行させることを特徴とするプログラム。
【手続補正２】
【補正対象書類名】明細書
【補正対象項目名】発明の名称
【補正方法】変更
【補正の内容】
【発明の名称】音声信号処理システム、システム構成装置及びプログラム
【手続補正３】
【補正対象書類名】明細書
【補正対象項目名】００１０
【補正方法】変更
【補正の内容】
【００１０】
本発明は、複数のシステム構成装置により構成される音声信号処理システムであって、少なくとも１つの前記システム構成装置が、前記音声信号処理システム上に記録された、システム構成装置の種類に応じた複数種類の装置別アプリケーションプログラムを含む、インストール対象のアプリケーションプログラムを読み出す読み出し手段と、前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定する特定手段と、前記特定した各システム構成装置に、前記読み出したアプリケーションプログラムのうちの、そのシステム構成装置の種類に対応する装置別アプリケーションプログラムを送信し、該送信した装置別アプリケーションプログラムのインストールを指示するインストール指示手段を備えることを特徴とする音声信号処理システムである。
また、本発明の音声信号処理システムにおいて、少なくとも１つの前記システム構成装置は、前記音声信号処理システム上に配置された複数の記憶手段のうちから記憶手段を特定する記憶先特定手段と、前記アプリケーションプログラムと該アプリケーションプログラムの起動を許可するためのアクセスキー情報とを対応付けて、前記特定された記憶手段に記録する記録制御手段とを備えるように構成できる。
【手続補正４】
【補正対象書類名】明細書
【補正対象項目名】００１１
【補正方法】変更
【補正の内容】
【００１１】
また、本発明は、複数のシステム構成装置により構成される音声信号処理システムにおける前記システム構成装置であって、前記音声信号処理システム上に記憶された、システム構成装置の種類に応じた複数種類の装置別アプリケーションプログラムを含む、インストール対象のアプリケーションプログラムを読み出す読み出し手段と、前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定する特定手段と、前記特定したシステム構成装置に、前記読み出したアプリケーションプログラムのうちの、そのシステム構成装置の種類に対応する装置別アプリケーションプログラムを送信し、該送信した装置別アプリケーションプログラムのインストールを指示するインストール指示手段を備えることを特徴とする音声信号処理システムのシステム構成装置である。
また、本発明は、複数のシステム構成装置により構成される音声信号処理システムにおいて、コンピュータを前記システム構成装置として機能させるプログラムであって、前記コンピュータに、前記音声信号処理システム上に記憶された、システム構成装置の種類に応じた複数種類の装置別アプリケーションプログラムを含む、インストール対象のアプリケーションプログラムを読み出すステップと、前記音声信号処理システム内の全てのシステム構成装置を検索対象として、前記アプリケーションプログラムのインストールを必要とするシステム構成装置と、そのシステム構成装置の種類に対応する装置別アプリケーションプログラムを特定するステップと、前記特定したシステム構成装置に、前記読み出したアプリケーションプログラムのうちの、そのシステム構成装置の種類に対応する装置別アプリケーションプログラムを送信し、該送信した装置別アプリケーションプログラムのインストールを指示するステップを実行させることを特徴とするプログラムとして構成及び実施できる。
【手続補正５】
【補正対象書類名】明細書
【補正対象項目名】００１２
【補正方法】変更
【補正の内容】
【００１２】
本発明によれば、音声信号処理システムを構成する複数のシステム構成装置の種類に応じた複数種類の装置別アプリケーションプログラムを含むインストール対象のアプリケーションプログラムが音声信号処理システム上に記憶されてさえいれば、音声信号処理システムを構成する全てのシステム構成装置に対して、一括して、それぞれのシステム構成装置で必要な装置別アプリケーションプログラムをインストールすることができる。したがって、音声信号処理システムを構成する複数のシステム構成装置それぞれのアプリケーションプログラムの追加記録作業を容易に行うことができるという優れた効果を奏する。
【手続補正６】
【補正対象書類名】明細書
【補正対象項目名】００１３
【補正方法】変更
【補正の内容】
【００１３】
また、本発明によれば、音声信号処理システム上に配置された複数の記憶手段のうち特定された記憶手段に、アプリケーションプログラムと該アプリケーションプログラムの起動を許可するためのアクセスキー情報とを対応付けて記録することができるので、アクセスキー情報とアプリケーションプログラムの対応付け（紐付け）や整理といったライセンス管理作業を簡便化できる。従って、アクセスキー情報を使用する場面でその所在を探すことに手間取ること極めて少なく、アクセスキー情報を用いたライセンスの認証をスムーズに行うことができるし、或いは、複数のアプリケーションプログラムとアクセスキー情報が存在する場合であっても、データの整理やライセンス管理に手間取ることはない。また、例えば、アクセスキー情報をインターネット経由で取得する一方で、ライセンス管理すべきプログラムはＣＤ−ＲＯＭから取得する場合のように、アクセスキー情報とアプリケーションプログラムの取得経路が異なっていても、そのライセンス管理作業には手間がかからないので、アクセスキー情報を例えばインターネット経由などセキュアな環境下で取得するとともに、アプリケーションプログラムの追加記録作業を容易に行う、という運用が可能となる。
【手続補正７】
【補正対象書類名】明細書
【補正対象項目名】００１４
【補正方法】変更
【補正の内容】
【００１４】
すなわち、本発明によれば、複数種類の音声信号処理装置を含む複数のシステム構成装置により構成される音声信号処理システムにおいて、それぞれのシステム構成装置で必要な装置別アプリケーションプログラムを含むアプリケーションプログラムのライセンス管理（不正使用の防止）を適切に行うとともに、該装置別アプリケーションプログラムを含むアプリケーションプログラムの追加作業（インストールとライセンス認証）を簡易に行うことができる。
【手続補正８】
【補正対象書類名】明細書
【補正対象項目名】００４０
【補正方法】変更
【補正の内容】
【００４０】
《コンソールの構成》
図３（ａ）において、コンソール１には、操作パネルに設けられた表示部（Ｐ表示）１７、ユーザによる各種操作を受け付けるパネル操作子（Ｐ操作子）１８、各チャンネルの音声信号の音量レベルを調整する音量レベル調整用操作子（電動Ｆ）１９が具備されている。表示部１７は、例えば液晶ディスプレイ等の表示器であって、ＣＰＵ１０からＣＰＵバス１００を介して与えられた表示制御信号に基づき各種情報を表示する。パネル操作子１８は、操作パネル上に配置された多数の操作子である。また、音量レベル調整用操作子１９は、ツマミ部の操作位置がＣＰＵ１０により電動制御される、いわゆる電動フェーダ（電動Ｆ）により構成される。また、コンソール１のＡ  Ｉ／Ｏ１４には、マイク入力用端子やヘッドフォン出力用端子などが含まれる。
【手続補正９】
【補正対象書類名】明細書
【補正対象項目名】００６２
【補正方法】変更
【補正の内容】
【００６２】
ステップＳ２において、ＰＣ６のＣＰＵ４０は、ＵＳＢ端子４３に接続されたＵＳＢドングル７０からシリアルナンバ６３を自動的に読み出す。図５（ｂ）に示す通り、ステップＳ２によりＵＳＢドングル７０から読み出されたシリアルナンバ６３（太線で囲むデータ）は、ＰＣ６に記録される。このステップＳ２により、ＰＣ６は、これから生成するアクセスキーの記録先となるライセンス管理用記憶装置を特定する装置特定情報（シリアルナンバ６３）を取得する。